(57)【特許請求の範囲】
【請求項１】
フレームに回転自在に保持されたドラムが、回転軸に沿って形成された胴部と、該胴部の両端部に形成された側壁部とからなり、両側壁部の間に、ホースが保持される保持空間が形成される一方、
前記ドラムに、該ドラムに保持されたホースが接続される接続パイプが設けられ、該接続パイプが、前記ドラムの回転中心部より外方へ向けて延出した延出部と、該延出部の先端より屈曲方向へ延出したホース接続部とを備えてなるホースリールにおいて、
前記ドラムの少なくとも一方の側壁部を、外周部より中心部側へ向かうに従って対向する側壁部側へ向けて傾斜させるとともに、当該側壁部に、外周部より中心部側へ向かって延在する凹部を形成し、前記接続パイプの前記延出部を前記凹部内に配設したことを特徴とするホースリール。
【請求項２】
前記ドラムに保持されるホースへの給水経路を、前記接続パイプと、該接続パイプが接続され、前記ドラムの回転中心に沿って前記フレームを挿通する筒状部が形成された中間部材と、該中間部材の前記筒状部に脱着自在に内嵌される内嵌部を備えるとともに、前記フレームより突出する給水パイプとにより構成し、
該給水パイプの前記内嵌部に、止水用のＯリングを交換可能に装着したことを特徴とする請求項１記載のホースリール。
【請求項３】
前記給水パイプに、前記内嵌部に沿って延在する延在片を設ける一方、
前記フレームに、前記延在片が挿入されるとともに、該延在片の回動を規制する規制溝を形成したことを特徴とする請求項２記載のホースリール。
【請求項４】
前記規制溝を、前記延在片の回動軌跡に沿って延長し、該延在片の回動許容領域を形成したことを特徴とする請求項３記載のホースリール。
【発明の詳細な説明】
【０００１】
【発明の属する技術分野】
本発明は、庭での散水や洗車に使うホースを巻き取るためのホースリールに関する。
【０００２】
【従来の技術】
従来、庭で散水する場合や洗車をする際には、図５に示すようなホースリール１０１が使用されている（特開平８−２２５２５４号公報参照）。
【０００３】
該ホースリール１０１は、フレーム１０５と、該フレーム１０５に回転自在に保持されたドラム１０６とを備えている。該ドラム１０６は、回転軸に沿って円筒状に形成された胴部１０７と、該胴部１０７の左右の端部に形成された左右側壁部１０８，１０９とからなり、両側壁部１０８，１０９の間には、ホースが保持される保持空間１１０が形成されている。
【０００４】
前記ドラム１０６の前記胴部１０７には、当該ドラム１０６に保持されたホースが接続される接続パイプ１２１が突設されており、該接続パイプ１２１は、前記ドラム１０６の回転中心部より前記胴部１０７を貫通して外方へ延出した延出部１２２と、該延出部１２２の先端より屈曲方向へ延出したホース接続部１２３とにより構成されている。
【０００５】
【発明が解決しようとする課題】
しかしながら、前記ホースリール１０１にあっては、ドラム１０６の両側壁部１０８，１０９の間に形成されたホースの保持空間１１０には、ドラム１０６に設けられた接続パイプ１２１が突設されている。このため、前記保持空間１１０にホースを巻き取る際には、巻き取りにくい、あるいは、巻乱れが発生する等の不具合が生じる。
【０００６】
本発明は、このような従来の課題に鑑みてなされたものであり、ホースが巻き取りやすく、巻乱れの発生を防止することができるホースリールを提供することを目的とする。
【０００７】
【課題を解決するための手段】
前記課題を解決するために本発明のホースリールにあっては、フレームに回転自在に保持されたドラムが、回転軸に沿って形成された胴部と、該胴部の両端部に形成された側壁部とからなり、両側壁部の間に、ホースが保持される保持空間が形成される一方、前記ドラムに、該ドラムに保持されたホースが接続される接続パイプが設けられ、該接続パイプが、前記ドラムの回転中心部より外方へ向けて延出した延出部と、該延出部の先端より屈曲方向へ延出したホース接続部とを備えてなるホースリールにおいて、前記ドラムの少なくとも一方の側壁部を、外周部より中心部側へ向かうに従って対向する側壁部側へ向けて傾斜させるとともに、当該側壁部に、外周部より中心部側へ向かって延在する凹部を形成し、前記接続パイプの前記延出部を前記凹部内に配設した。
【０００８】
すなわち、ドラムの回転中心部より外方へ向けて延出した接続パイプの延出部は、ドラムの側壁部に形成された凹部内に配設され、ドラムの両側壁部間に形成されたホース用の保持空間への突出が防止される。
【０００９】
また、前記ドラムに保持されるホースへの給水経路を、前記接続パイプと、該接続パイプが接続され、前記ドラムの回転中心に沿って前記フレームを挿通する筒状部が形成された中間部材と、該中間部材の前記筒状部に脱着自在に内嵌される内嵌部を備えるとともに、前記フレームより突出する給水パイプとにより構成し、該給水パイプの前記内嵌部に、止水用のＯリングを交換可能に装着した。
【００１０】
すなわち、ホースへの給水経路を構成する中間部材と給水パイプとの接続部分における止水用のＯリングは、前記中間部材の筒状部に脱着自在に内嵌される給水パイプの内嵌部に、交換可能に装着されており、前記中間部材の前記内嵌部内に設けられたＯリングは、前記中間部材の筒状部より前記給水パイプの内嵌部を抜き出し、前記給水パイプを前記中間部材より取り外すことによって、前記筒状部より取り出される。
【００１１】
さらに、前記給水パイプに、前記内嵌部に沿って延在する延在片を設ける一方、前記フレームに、前記延在片が挿入されるとともに、該延在片の回動を規制する規制溝を形成した。
【００１２】
すなわち、ホースへの給水経路を形成する前記接続パイプ、前記中間部材、及び前記給水パイプは互いに接続されており、ホースを引き出す、あるいは、巻き取る際に前記ドラムが回動された場合であっても、前記給水パイプが不用意な回動が防止される。
【００１３】
加えて、前記規制溝を、前記延在片の回動軌跡に沿って延長し、該延在片の回動許容領域を形成した。
【００１４】
これにより、散水時において、引き出されたホースが引張された際の前記ドラムの僅かな回転が、前記Ｏリングからの摩擦抵抗を受けることなく許容される。
【００１５】
【発明の実施の形態】
以下、本発明の一実施の形態を図にしたがって説明する。図１は、本実施の形態に係るホースリール１を示す図であり、該ホースリール１は、庭で散水する場合や洗車をする際に使用されるものである。
【００１６】
このホースリール１は、主として本体１１と、該本体１１に回動自在に保持されたドラム１２とにより構成されている。前記本体１１は、左右フレーム１３，１４と、左右フレーム１３，１４間に設けられたグリップ１５及びステップ１６とにより構成されている。前記グリップ１５は、前記各フレーム１３，１４上端の取付部１７，１８にそれぞれ係着された左右係着部材１９，２０と、両係着部材１９，２０を連結した連結パイプ２１とにより形成されている。前記ステップ１６は、前記各フレーム１３，１４下端の嵌合筒部（図示せず）に外嵌し、前記本体１１に回動自在に枢支された枢軸部２５と、該枢軸部２５に一体形成された踏板部２６とにより形成されている。
【００１７】
前記ドラム１２は、図２に示すように、当該ドラム１２の回転中心軸３１に沿って形成された円筒状の胴部３２と、該胴部３２の左右端部に一体形成された左右側壁部３３，３４とからなり、両側壁部３３，３４の間には、ホースを保持する保持空間３５が形成されている。前記左側壁部３３には、外周部より中心部側、つまり前記胴部３２側へ向かうに従って、対向した前記右側壁部３４側へ向けて傾斜する傾斜面３６が形成されており、該傾斜面３６には、外周部より中心部側へ向かって延在する凹部３７が形成されている。
【００１８】
また、前記ドラム１２には、図３に示すように、当該ドラム１２に保持されたホースが接続される接続パイプ４１が、前記左側壁部３３にネジ止めされた中間部材４２を介して固定されており、該中間部材４２には、前記左フレーム１３より側方へ突出した給水パイプ４３が接続されている。これにより、前記ドラム１２に保持されるホースへの給水経路が、前記接続パイプ４１と前記中間部材４２と前記給水パイプ４３とにより形成されている。
【００１９】
前記接続パイプ４１は、前記ドラム１２の回転中心軸３１側より外方へ向けて延出した延出部５１と、該延出部５１の先端より図３中斜め下方へ屈曲して延出したホース接続部５２とからなり、前記ドラム１２の胴部３２には、前記ホース接続部５２の干渉を防止する干渉防止穴５３が形成されている。そして、前記延出部５１の端部には、Ｏリング溝５４，５４が形成されており、該Ｏリング溝５４，５４には、Ｏリング溝５５，５５が交換可能に装着されている。
【００２０】
また、前記中間部材４２は、前記ドラム１２の左側壁部３３に固定される円板部６１と、該円板部６１より前記回転中心軸３１に沿って前記ドラム１２の胴部３２内に突出した後、図３中上方へ向けて起立したパイプ状の起立部６２と、前記円板部６１より前記回転中心軸３１に沿って外方へ延出し、前記左フレーム１３に形成された挿通穴６３を挿通する筒状部６４とにより形成されている。前記起立部６２は、前記接続パイプ４１の前記延出部５１における端部が内嵌可能に構成されており、該延出部５１が、前記ドラム１２の前記左側壁部３３に形成された凹部３７内に配設されるように構成されている。
【００２１】
前記給水パイプ４３は、Ｌ字状に形成されており、一方の端部には、蛇口に取り付けられた給水ホースが接続される給水ホース接続部７１が形成されている。前記給水パイプ４３の他方の端部には、前記中間部材４２の前記筒状部６４に脱着自在に内嵌される内嵌部７２が形成されており、該内嵌部７２の先端部には、止水用のＯリング７３，７３が交換可能に装着されたＯリング溝７４，７４が形成されている。
【００２２】
そして、前記給水パイプ４３の他方の端部には、前記内嵌部７２より離間するとともに、該内嵌部７２に沿って延在した延在片８１が形成されており、前記左フレーム１３には、前記延在片８１が挿入されるとともに、該延在片８１の回動を規制する規制溝８２が、前記中間部材４２の筒状部６４が挿通される前記挿通穴６３の外周部に沿って形成されている。この規制溝８２は、図４に示すように、前記延在片８１の回動軌跡に沿った半円弧状に形成されており、当該規制溝８２内での前記延在片８１の移動を許容するとともに、該延在片８１の回動許容領域８３を設定している。
【００２３】
以上の構成からなる本実施の形態において、図２及び図３に示したように、ドラム１２の回転中心軸３１側より外方へ向けて延出した接続パイプ４１の延出部５１を、ドラム１２の左側壁部３３に形成された凹部３７内に配設することにより、前記ドラム１２の左右側壁部３３，３４間に形成されたホース用の保持空間３５への突出を防止することができる。したがって、接続パイプ４１の延出部５１が、ドラム１２の両側壁部３３，３４間に形成されたホース用の保持空間３５に突出した従来のホースリールと比較して、前記保持空間３５へのホースの巻き取りにくさを解消することができるとともに、前記保持空間３５に巻き取られるホースの巻乱れを防止することができる。
【００２４】
また、蛇口に取り付けられた給水ホースが接続される給水パイプ４３の内嵌部７２には、Ｏリング溝７４，７４が形成されており、該Ｏリング溝７４，７４には、給水パイプ４３と、該給水パイプ４３が接続される中間部材４２との間をシールするＯリング７３，７３が交換自在に装着されている。このため、前記給水パイプ４３の内嵌部７２を、前記中間部材４２の筒状部６４より抜き出し、前記給水パイプ４３を前記中間部材４２より取り外すことにより、前記Ｏリング７３，７３を前記筒状部６４内から容易に取り出すことができる。したがって、Ｏリング７３，７３が中間部材４２の筒状部６４における内壁面にセットされ、Ｏリング７３，７３の取り出しが容易に行えなかった一般的なホースリールと比較して、Ｏリング７３，７３の交換作業が容易となり、メインテナンス性が向上する。
【００２５】
さらに、前記ホースへの給水経路を形成する前記接続パイプ４１、中間部材４２、及び給水パイプ４３は、図示しないＥリングによって互いに回転自在に接続されており、保持されたホースが引き出されたり巻き取られ、前記ドラム１２が回動された場合、その回転が前記給水パイプ４３にも伝達される。しかし、前記給水パイプ４３には、延在片８１が設けられているとともに、前記左フレーム１３には、前記延在片８１が挿入され、該延在片８１の回動を規制する規制溝８２が形成されているので、蛇口に取り付けられた給水ホースが接続される前記給水パイプ４３の不用意な回動を防止することができる。これにより、該給水パイプ４３に接続された前記給水ホースのねじれを防止することができる。
【００２６】
そして、前記規制溝８２を、図４に示したように、前記延在片８１の回動軌跡に沿った半円弧状に形成し、該延在片８１の回動許容領域８３を形成することにより、散水時において、引き出されたホースが引張された際の前記ドラム１２の僅かな回転を、前記Ｏリング７３，７３からの摩擦抵抗を受けることなく、許容することができる。また、前記給水パイプ４３と前記中間部材４２との間に設けられた前記Ｏリング７３，７３の摩耗を減少させることもでき、これにより、Ｏリング７３，７３の寿命を延ばすことができる。
【００２７】
【発明の効果】
以上説明したように、本発明のホースリールにあっては、ドラムの回転中心部より外方へ向けて延出した接続パイプの延出部を、ドラムの側壁部に形成された凹部内に配設することにより、ドラムの両側壁部間に形成されたホース用の保持空間への突出を防止することができる。したがって、接続パイプの延出部が、ドラムの側壁部間に形成されたホース用の保持空間に突出した従来のホースリールと比較して、前記保持空間へのホースの巻き取りにくさを解消することができるとともに、前記保持空間に巻き取られるホースの巻乱れを防止することができる。
【００２８】
また、ホースへの給水経路を構成する中間部材と給水パイプとの接続部分に設けられた止水用のＯリングを、前記中間部材の筒状部に内嵌される給水パイプの内嵌部に交換可能に装着することによって、前記給水パイプの内嵌部を前記中間部材の筒状部より抜き出し、前記給水パイプを前記中間部材より取り外すことにより、前記Ｏリングを筒状部から容易に取り出すことができる。したがって、Ｏリングが中間部材の筒状部における内壁面にセットされ、Ｏリングの取り出しが容易に行えなかった一般的なホースリールと比較して、Ｏリングの交換作業が容易となり、メインテナンス性が向上する。
【００２９】
さらに、ホースへの給水経路を形成する前記接続パイプ、中間部材、及び給水パイプは、互いに接続されており、ホースが引き出されたり巻き取られ、前記ドラムが回動された場合、その回転が前記給水パイプにも伝達される。しかし、前記給水パイプに、延在片が設けられるとともに、前記フレームには、前記延在片が挿入され、該延在片の回動を規制する規制溝が形成されているので、蛇口に取り付けられた給水ホースが接続される前記給水パイプの不用意な回動を防止することができる。これにより、該給水パイプに接続された前記給水ホースのねじれを防止することができる。
【００３０】
加えて、前記規制溝を、前記延在片の回動軌跡に沿って延長し、該延在片の回動許容領域を形成することにより、散水時において、引き出されたホースが引張された際の前記ドラムの僅かな回転を、Ｏリングからの摩擦抵抗を受けることなく、許容することができる。また、前記給水パイプと前記中間部材との間に設けられた前記Ｏリングの摩耗を減少させることもできる。
【００３１】
【図面の簡単な説明】
【図１】本発明の一実施の形態を示す斜視図である。
【図２】同実施の形態を示す正面図である。
【図３】同実施の形態の要部を示す断面図である。
【図４】同実施の形態の左フレームを示す正面図である。
【図５】従来のホースリールを示す正面図である。
【符号の説明】
１    ホースリール
１２    ドラム
１３    左フレーム
１４    右フレーム
３２    胴部
３３    左側壁部
３４    右側壁部
３５    保持空間
３６    傾斜面
３７    凹部
４１    接続パイプ
４２    中間部材
４３    給水パイプ
５１    延出部
５２    ホース接続部
６４    筒状部
７２    内嵌部
７３    Ｏリング
８１    延出片
８２    規制溝
８３    回動許容領域
【図１】
0004017733.tif 000002
【図２】
0004017733.tif 000003
【図３】
0004017733.tif 000004
【図４】
0004017733.tif 000005
【図５】
0004017733.tif 000006